(57)【要約】      （修正有）【課題】普通のフェイスタオルとしてだけでなく、マフラーやスポーツ観戦用グッズ等の用途に用いることができるタオルを提供する。【解決手段】矩形状に形成されるタオル１１であって、少なくとも一方の短辺１２ａに沿って所定の間隔を開けて一対又は複数対のホック１３、１４を設けたことである。ホックを設けたことによって、タオルをリング状に形成してから、そのリング状の部位を首部に巻いてフィットさせればマフラーとして使用できる。そして、首部に巻いた際のファッション性も良好である。また、リング状の部位を手首に巻いてフィットさせれば、汗拭き兼用のスポーツ観戦グッズとして適している。【選択図】図１
0003145076.tif 000002
【実用新案登録請求の範囲】
【請求項１】
矩形状に形成されるタオルであって、
少なくとも一方の短辺に沿って所定の間隔を開けて一対又は複数対のホックを設けたこと
を特徴とするタオル。
【請求項２】
前記一対又は複数対のホックは、折返し部に設けたこと
を特徴とする請求項１に記載のタオル。
【考案の詳細な説明】
【技術分野】
【０００１】
本考案は、タオルに関するものであり、更に詳しくは、普通のフェイスタオルとしてだけでなく、マフラーやスポーツ観戦用グッズ等の種々の用途に用いることができるタオルに関するものである。
【背景技術】
【０００２】
従来、この種のタオルとしては、次のような構成の風邪予防首巻きタオルが知られている。このタオルは、幅が約８ｃｍ、長さが約５０ｃｍ程度の、幅狭で横長の形状であり、一方の短辺側には２個の雄ホックが設けられており、また、他方の短辺側には６個の雌ホックがそれぞれ約３ｃｍ程度の間隔を開けて設けられている（特許文献１参照）。
【０００３】
このような構成の風邪予防首巻きタオルは、首に巻いてから雄ホックと所望位置の雌ホックとを接続することで、首部を保温して風邪を防止する効果が期待できる。また、雌ホックは約３ｃｍ程度の間隔を開けて設けられているので、使用者の首周りの長さに対応させて接続位置の調整が可能である。
【特許文献１】特開平１１−１６９４００号公報
【考案の開示】
【考案が解決しようとする課題】
【０００４】
この従来例の風邪予防首巻きタオルにおいては、一般の規格品とは異なる幅狭の形状であり、そこに計８個のホックが設けられているので、普通のフェイスタオルとして使用するには、幅が狭すぎると共にホックが邪魔になって使用に適さないという欠点を有している。
【０００５】
更に、この風邪予防首巻きタオルを首に巻いて使用した場合には、見た目が奇異でファッションセンスに欠けるという欠点も有している。
【０００６】
従って、従来例における風邪予防首巻きタオルにおいては、普通のフェイスタオルとしても使用できるようにすることと、マフラー等のその他の用途にも使用できるようにすることと、身に付けた際のファッション性を向上させることとに解決しなければならない課題を有している。
【課題を解決するための手段】
【０００７】
前記従来例の課題を解決する具体的手段として本考案は、矩形状に形成されるタオルであって、少なくとも一方の短辺に沿って所定の間隔を開けて一対又は複数対のホックを設けたことを特徴とするタオルを提供するものである。
【０００８】
また、前記一対又は複数対のホックは、折返し部に設けたこと、；
を含むものである。
【考案の効果】
【０００９】
本考案に係るタオルは、矩形状に形成されるタオルであって、少なくとも一方の短辺に沿って所定の間隔を開けて一対又は複数対のホックを設けたことによって、タオルをリング状に形成してから、そのリング状の部位を首部に巻いてフィットさせればマフラーとして使用できる。そして、首部に巻いた際のファッション性も良好である。
また、リング状の部位を手首に巻いてフィットさせれば、汗拭き兼用のスポーツ観戦グッズとして最適である。
即ち、普通のフェイスタオルとしての使用は勿論のこと、冬場は防寒用のマフラーとして、あるいは夏場は汗拭き兼用のスポーツ観戦グッズ等として、年間を通しての使用が可能であるという種々の優れた効果を奏する。
【００１０】
また、一対又は複数対のホックは、折返し部に設けたことによって、折返し部は布が二重に形成されているので、ホックの取付強度が向上するという優れた効果を奏する。
【考案を実施するための最良の形態】
【００１１】
次に、本発明の実施の形態について図面を参照しながら説明する。まず、図１において、符号１１はタオルを示し、このタオル１１は、所定大きさの矩形状を呈しており、所謂タオル地の布で形成されていて、その表面にはループ状の細かい糸が設けられている。
【００１２】
タオル１１の両方の短辺１２ａ、１２ｂは、図２に示すように、布が所定幅折り返されて縫着されており、布が二重になって折返し部１５が形成されている。
【００１３】
タオル１１の一方の短辺１２ａに沿った位置における、折返し部１５の隅部には、雌ホック１３が設けられている。このように、雌ホック１３は折返し部１５に設けられるので取付強度が向上する。
【００１４】
また、短辺１２ａの中央部位よりもやや下部には、雄ホック１４が設けられている。上記の場合と同様に、雄ホック１４は折返し部１５に設けられているので取付強度が向上する。
【００１５】
次に、タオル１１の使用方法の一例について説明する。まず、タオル１１の中央部の近傍を長手方向に沿って二つ折りにする（図３及び図４参照）。更に、その中央部を長手方向に沿って折り、四つ折りにしてから（図５及び図６参照）、雌ホック１３と雄ホック１４とを合わせて‘パッチン’と接続する（図６参照）。
【００１６】
そして、雌ホック１３と雄ホック１４とを接続した短辺１２ａ側の、重畳する布の隙間１９から、他方の短辺１２ｂを挿通させて（図７参照）、タオル１１にリング状の部位１６を形成する（図８参照）。
【００１７】
このリング状の部位１６を人の首部に巻いてから、他方の短辺１２ｂを下に引いて首部にフィットさせれば、図９に示すように、マフラー１７として使用することができる。また、その際のファッションセンスも良好である。
【００１８】
また、リング状の部位１６を手首に巻いてフィットさせれば、図１０に示すように、汗拭き兼用のスポーツ観戦グッズ１８として最適である。
【００１９】
以上のように構成されるタオル１１は、普通のフェイスタオルとしての使用は勿論のこと、冬場は防寒用のマフラー１７として、あるいは、夏場は汗拭き兼用のスポーツ観戦グッズ１８として、年間を通しての種々の使用が可能である。
【図面の簡単な説明】
【００２０】
【図１】本考案に係るタオル１１の平面図である。
【図２】折返し部１５の一部を拡大して示した平面図である。
【図３】タオル１１の中央部の近傍を長手方向に沿って二つ折りにする説明図である。
【図４】タオル１１の中央部の近傍を長手方向に沿って二つ折りにした状態の説明図である。
【図５】タオル１１を四つ折りにする説明図である。
【図６】タオル１１を四つ折りにして、雌ホック１３と雄ホック１４とを接続する状態の説明図である。
【図７】雌ホック１３と雄ホック１４とを接続した短辺側の重畳する布の隙間１９から、他方の短辺１２ｂを挿通させる説明図である。
【図８】タオル１１にリング状の部位１６を形成した状態の説明図である。
【図９】タオル１１をマフラー１７として使用した状態の正面図である。
【図１０】タオル１１を汗拭き兼用のスポーツ観戦グッズ１８として使用した状態の正面図である。
【符号の説明】
【００２１】
１１  タオル
１２ａ一方の短辺
１２ｂ他方の短辺
１３  雌ホック
１４  雄ホック
１５  折返し部
１６  リング状の部位
１７  マフラー
１８  スポーツ観戦グッズ
１９  隙間
【図１】
0003145076.tif 000003
【図２】
0003145076.tif 000004
【図３】
0003145076.tif 000005
【図４】
0003145076.tif 000006
【図５】
0003145076.tif 000007
【図６】
0003145076.tif 000008
【図７】
0003145076.tif 000009
【図８】
0003145076.tif 000010
【図９】
0003145076.tif 000011
【図１０】
0003145076.tif 000012